(57)【要約】  場所と時間に紐付けられた情報である一時滞留情報を通信基地局に対して送信するとともに、通信基地局から当該通信基地局が記憶する前記一時滞留情報を受信する無線通信部と、前記無線通信部が受信した前記一時滞留情報を格納する記憶装置と、前記一時滞留情報の受信後、予め定められた所定時間経過した前記一時滞留情報を削除する削除部と、を有する。
2019135397.tif 000002
【特許請求の範囲】
【請求項１】
場所と時間に紐付けられた情報である一時滞留情報を通信基地局に対して送信するとともに、通信基地局から当該通信基地局が記憶する前記一時滞留情報を受信する無線通信部と、
前記無線通信部が受信した前記一時滞留情報を格納する記憶装置と、
前記一時滞留情報の受信後、予め定められた所定時間経過した前記一時滞留情報を削除する削除部と、
を有する
無線通信端末。
【請求項２】
請求項１に記載の無線通信端末であって、
前記一時滞留情報は、当該一時滞留情報の発信者が提供する提供物に応じた属性を示す属性情報を含んでいる
無線通信端末。
【請求項３】
請求項１又は２に記載の無線通信端末であって、
前記一時滞留情報は、送信先の通信基地局からネットワークを介して外部へと送信されず、送信先の基地局において記憶された後、所定時間経過後に削除される情報である
無線通信端末。
【請求項４】
請求項１から請求項３までのいずれかに記載の無線通信端末であって、
前記一時滞留情報には、不特定多数の利用者間で共有する属性を示す公開属性情報と、特定の利用者間でのみ共有する属性を示す秘密属性情報と、のうちの少なくとも一方が含まれている
無線通信端末。
【請求項５】
請求項１から請求項４までのいずれかに記載の無線通信端末であって、
前記記憶装置に格納されている前記一時滞留情報の強さを判定する強さ判定手段と、
前記強さ判定手段による判定結果に基づいて、前記一時滞留情報を他の前記一時滞留情報に付与する滞留情報付与部と、
を有する
無線通信端末。
【請求項６】
請求項５に記載されている無線通信端末であって、
前記強さ判定手段は、同一の情報を有する前記一時滞留情報の数に基づいて、前記一時滞留情報の強さを判定する
無線通信端末。
【請求項７】
請求項６に記載の無線通信端末であって、
前記強さ判定手段は、前記一時滞留情報を識別するための情報が同一である前記一時滞留情報の数に基づいて、前記一時滞留情報の強さを判定する
無線通信端末。
【請求項８】
請求項６又は請求項７に記載の無線通信端末であって、
前記強さ判定手段は、前記一時滞留情報の発信者が提供する提供物に応じた属性を示す属性情報が同一である前記一時滞留情報の数に基づいて、前記一時滞留情報の強さを判定する
無線通信端末。
【請求項９】
請求項１から請求項８までのいずれかに記載の無線通信端末であって、
受信した前記一時滞留情報に所定の情報が含まれることを判定する感受性判定部と、
前記感受性判定部による判定結果に基づいて所定の報知を行う報知部と、
を有する
無線通信端末。
【請求項１０】
請求項９に記載の無線通信端末であって、
前記無線通信部は、近距離無線通信を用いて近傍に位置する他の無線通信端末と前記一時滞留情報を送受信する
無線通信端末。
【請求項１１】
無線通信端末が、
場所と時間に紐付けられた情報である一時滞留情報を通信基地局に対して送信するとともに、通信基地局から当該通信基地局が記憶する前記一時滞留情報を受信し、
受信した前記一時滞留情報を格納し、
前記一時滞留情報の受信後、予め定められた所定時間経過した前記一時滞留情報を削除する
無線通信方法。
【請求項１２】
無線通信部が受信した一時滞留情報を格納する記憶装置を有する無線通信端末に、
場所と時間に紐付けられた情報である前記一時滞留情報を通信基地局に対して送信するとともに、通信基地局から当該通信基地局が記憶する前記一時滞留情報を受信する無線通信部と、
前記一時滞留情報の受信後、予め定められた所定時間経過した前記一時滞留情報を削除する削除部と、
を実現するための
プログラムを記録したコンピュータ読み取り可能な記録媒体。
【請求項１３】
場所と時間に紐付けられた情報である一時滞留情報を格納する記憶装置と、
前記一時滞留情報を無線通信端末から受信するとともに、前記記憶装置に格納された前記一時滞留情報を無線通信端末に対して送信する無線通信部と、
前記一時滞留情報の受信後、予め定められた所定時間経過した前記一時滞留情報を削除する削除部と、
を有する
通信基地局。
【請求項１４】
場所と時間に紐付けられた情報である一時滞留情報を格納する記憶装置を有する通信基地局が、
前記一時滞留情報を無線通信端末から受信するとともに、前記記憶装置に格納された前記一時滞留情報を無線通信端末に対して送信し、
前記一時滞留情報の受信後、予め定められた所定時間経過した前記一時滞留情報を削除する
基地局通信方法。
【請求項１５】
場所と時間に紐付けられた情報である一時滞留情報を格納する記憶装置を有する通信基地局に、
前記一時滞留情報を無線通信端末から受信するとともに、前記記憶装置に格納された前記一時滞留情報を無線通信端末に対して送信する無線通信部と、
前記一時滞留情報の受信後、予め定められた所定時間経過した前記一時滞留情報を削除する削除部と、
を実現させるためのプログラムを記録したコンピュータ読み取り可能な記録媒体。
【請求項１６】
場所と時間に紐付けられた情報である一時滞留情報を格納する記憶装置と、
前記記憶装置に格納された前記一時滞留情報を通信基地局に対して送信する無線通信部と、
を有する
電気看板。
【請求項１７】
場所と時間に紐付けられた情報である一時滞留情報を格納する記憶装置を有する電気看板が、
前記記憶装置に格納された前記一時滞留情報を通信基地局に対して送信する
電気看板通信方法。
【請求項１８】
場所と時間に紐付けられた情報である一時滞留情報を格納する記憶装置を有する電気看板に、
前記記憶装置に格納された前記一時滞留情報を通信基地局に対して送信する無線通信部を実現するためのプログラムを記録したコンピュータ読み取り可能な記録媒体。
【発明の詳細な説明】
【技術分野】
【０００１】
本発明は、無線通信端末、無線通信方法、記録媒体、通信基地局、電気看板に関する。
【背景技術】
【０００２】
インターネットを通じて検索等を行うことがある。このような検索においては、過去のある時点においてＤＢ（DataBase）上に蓄積された情報が、検索されることになる。【０００３】
また、情報を取得する方法の一つとしては、近距離無線通信を用いて情報の送受信を行う方法がある。例えば、携帯ゲーム機などでは、すれちがい通信（登録商標）と呼ばれる近距離無線通信を用いたデータの交換が行われている。このような技術の一つとして、例えば、特許文献１がある。特許文献１には、近距離無線通信によって第１のデータを送受信する通信システムが記載されている。具体的には、特許文献１によると、通信システムは、近距離無線通信によって取得した第１のデータと、自機の移動量により取得する第２のデータと、のいずれか一方を用いて、アプリケーションにおける所定の処理を実行する。【０００４】
また、近距離無線通信を行う技術の他の一例として、例えば、特許文献２がある。特許文献２には、携帯通信端末間で近距離通信を行い、相手の識別情報を取得するシステムが記載されている。特許文献２によると、システムは、取得した識別情報をマッチングの判定結果を得る際に利用することになる。【０００５】
また、関連する技術として、例えば、特許文献３がある。特許文献３には、近距離通信機能を用いたシステムにおいて、無線通信端末が位置推定を行う際に用いる技術の一例が記載されている。
【先行技術文献】
【特許文献】
【０００６】
【特許文献１】特開２０１２−９０６４８号公報
【特許文献２】特開２００６−１７２２２３号公報
【特許文献３】特開２００８−２９８６８９号公報
【発明の概要】
【発明が解決しようとする課題】
【０００７】
情報の検索を行う場合、検索対象となる情報は、過去のある時点においてＤＢ上に蓄積された情報となる。そのため、例えば、店舗が閉店・臨時休業しているなど、状況の変化に応じて、検索結果として得られた情報が不正確なものとなる可能性があった。このように、利用者のいる場所や時間等に応じた利用可能な情報を取得できないおそれがある、という問題が生じていた。【０００８】
また、特許文献１、２に記載されているような近距離無線通信を行う場合、例えば、５分前に同じ場所を通った人とは通信できないなど、時間的な通信契機が制限されていることになる。そのため、特許文献１、２に記載されているような技術を用いたとしても、利用者のいる場所や時間等に応じた利用可能な情報を的確に取得できないおそれがある、という問題は依然として残っていた。【０００９】
そこで、本発明の目的は、利用者のいる場所や時間等に応じた利用可能な情報を的確に取得できないおそれがある、という問題を解決する無線通信端末、無線通信方法、記録媒体、基地局、電気看板を提供することにある。
【課題を解決するための手段】
【００１０】
かかる目的を達成するため本発明の一形態である無線通信端末は、
場所と時間に紐付けられた情報である一時滞留情報を通信基地局に対して送信するとともに、通信基地局から当該通信基地局が記憶する前記一時滞留情報を受信する無線通信部と、
前記無線通信部が受信した前記一時滞留情報を格納する記憶装置と、
前記一時滞留情報の受信後、予め定められた所定時間経過した前記一時滞留情報を削除する削除部と、
を有する
という構成を採る。【００１１】
また、本発明の他の形態である無線通信方法は、
無線通信端末が、
場所と時間に紐付けられた情報である一時滞留情報を通信基地局に対して送信するとともに、通信基地局から当該通信基地局が記憶する前記一時滞留情報を受信し、
受信した前記一時滞留情報を格納し、
前記一時滞留情報の受信後、予め定められた所定時間経過した前記一時滞留情報を削除する
という構成をとる。【００１２】
また、本発明の他の形態である記録媒体は、
無線通信部が受信した一時滞留情報を格納する記憶装置を有する無線通信端末に、
場所と時間に紐付けられた情報である一時滞留情報を通信基地局に対して送信するとともに、通信基地局から当該通信基地局が記憶する前記一時滞留情報を受信する無線通信部と、
前記一時滞留情報の受信後、予め定められた所定時間経過した前記一時滞留情報を削除する削除部と、
を実現するためのプログラムを記録したコンピュータ読み取り可能な記録媒体である。【００１３】
また、本発明の他の形態である通信基地局は、
場所と時間に紐付けられた情報である一時滞留情報を格納する記憶装置と、
前記一時滞留情報を無線通信端末から受信するとともに、前記記憶装置に格納された前記一時滞留情報を無線通信端末に対して送信する無線通信部と、
前記一時滞留情報の受信後、予め定められた所定時間経過した前記一時滞留情報を削除する削除部と、
を有する
という構成をとる。【００１４】
また、本発明の他の形態である電気看板は、
場所と時間に紐付けられた情報である一時滞留情報を格納する記憶装置と、
前記記憶装置に格納された前記一時滞留情報を通信基地局に対して送信する無線通信部と、
を有する
という構成をとる。
【発明の効果】
【００１５】
本発明は、以上のように構成されることにより、利用者のいる場所や時間等に応じた利用可能な情報を取得できないおそれがある、という問題を解決する無線通信端末、無線通信方法、記録媒体、基地局、電気看板を提供することが可能となる。
【図面の簡単な説明】
【００１６】
【図１】本発明の第１の実施形態にかかる無線通信システム１の全体の構成の一例を示す図である。
【図２】本実施形態において説明するＦＩＴ２（Fragrance by Information Technology）（一時滞留情報ともいう）の構成の一例を示す図である。
【図３】図１で示す無線通信端末１１の構成の一例を示すブロック図である。
【図４】記憶装置１１２に格納されている情報の一例を示す図である。
【図５】図１で示す通信基地局１２の構成の一例を示すブロック図である。
【図６】記憶装置１２２に格納されている情報の一例を示す図である。
【図７】図１で示す電気看板１３の構成の一例を示すブロック図である。
【図８】本発明の第１の実施形態における無線通信端末１１の処理の一例を示すフローチャートである。
【図９】本発明の第１の実施形態における無線通信端末１１がＦＩＴ２を削除する際の処理の一例を示すフローチャートである。
【図１０】本発明の第１の実施形態における無線通信端末１１が報知を行う際の処理の一例を示すフローチャートである。
【図１１】本発明の第１の実施形態における無線通信端末１１がＦＩＴ２の強さを判別する際の処理の一例を示すフローチャートである。
【図１２】本発明の第１の実施形態における通信基地局１２の処理の一例を示すフローチャートである。
【図１３】本発明の第２の実施形態における無線通信端末３の構成の一例を示すブロック図である。
【発明を実施するための形態】
【００１７】
［第１の実施形態］
本発明の第１の実施形態を図１から図１２を参照して説明する。図１は、無線通信システム１の全体の構成の一例を示す図である。図２は、ＦＩＴ２（Fragrance by Information Technology）の構成の一例を示す図である。図３は、無線通信端末１１の構成の一例を示すブロック図である。図４は、記憶装置１１２に格納されている情報の一例を示す図である。図５は、通信基地局１２の構成の一例を示すブロック図である。図６は、記憶装置１２２に格納されている情報の一例を示す図である。図７は、電気看板１３の構成の一例を示すブロック図である。図８は、無線通信端末１１の処理の一例を示すフローチャートである。図９は、無線通信端末１１がＦＩＴ２を削除する際の処理の一例を示すフローチャートである。図１０は、無線通信端末１１が報知を行う際の処理の一例を示すフローチャートである。図１１は、無線通信端末１１がＦＩＴ２の強さを判別する際の処理の一例を示すフローチャートである。図１２は、通信基地局１２の処理の一例を示すフローチャートである。
【００１８】
第１の実施形態では、現実の”匂い”の振る舞いと同様の振る舞いを行うよう構成された情報であるＦＩＴ２（ＦＩＴ：Fragrance by Information Technologyを略した造語）を用いる無線通信システム１について説明する。ＦＩＴ２は、スマートフォンなどの無線通信端末１１を利用する際に用いる、固有のＩＤ番号が割り振られたＳＩＭ（subscriber identity module）が発信する小サイズの情報である。ＦＩＴ２は、後述するように、場所と時刻に紐づいており、発信された情報は、発信源となるＳＩＭがいなくなっても一定時間その場所に滞留する。例えば、ＦＩＴ２は、ネットワークを経由した広範囲の頒布が行われず、ＳＩＭを有する無線通信端末１１の位置に応じた箇所に頒布される。また、ＦＩＴ２は、予め定められた所定時間経過後に削除される。ＦＩＴ２は、一定の範囲内に一時的に滞留する情報であるため、一時滞留情報ともいう。
【００１９】
図１は、無線通信システム１の全体の構成の一例を示している。図１を参照すると、無線通信システム１は、複数の無線通信端末１１と、複数の通信基地局１２と、複数の電気看板１３と、を有している。
【００２０】
無線通信システム１は、ＬＴＥ（Ｌｏｎｇ  Ｔｅｒｍ  Ｅｖｏｌｕｔｉｏｎ）、４Ｇ（４ｔｈ  Ｇｅｎｅｒａｔｉｏｎ）などの通信規格に従った無線通信を行うとともに、Ｗｉ−Ｆｉ（登録商標）、Ｂｌｕｅｔｏｏｔｈ（登録商標）などの通信規格に従った無線通信を行う。例えば、無線通信システム１においては、ＬＴＥ、４Ｇなどの通信規格に準拠した無線通信により、無線通信端末１１と通信基地局１２の間や電気看板１３と通信基地局１２の間でＦＩＴ２の送受信を行う。また、例えば、無線通信システム１においては、ＩＥＥＥ８０２．１１やＩＥＥＥ８０２．１５などの通信規格に準拠した無線通信により、無線通信端末１１間のＦＩＴ２の送受信を行ったり、電気看板１３から無線通信端末１１に対してＦＩＴ２の送信を行ったりする。
【００２１】
ここで、本実施形態における無線通信システム１が用いる情報であるＦＩＴ２の一例について図２を参照して説明する。
【００２２】
図２は、ＦＩＴ２が含む情報の一例を示している。図２を参照すると、ＦＩＴ２は、例えば、ＦＩＴ識別番号２１と、属性情報（公開）２２と、属性情報（秘密）２３と、を含むことが出来る。また、ＦＩＴ２には、後述するように、所定の条件を満たす他のＦＩＴ２を付与することが出来る。なお、上記のうち、ＦＩＴ識別番号２１は、全てのＦＩＴ２に含まれている。一方、属性情報（公開）２２や属性情報（秘密）２３は、必要に応じて設定される。
【００２３】
ＦＩＴ識別番号２１は、ＦＩＴ２を識別するための情報を示している。例えば、ＦＩＴ識別番号２１は、発信源となるＳＩＭごとに与えられるユニークな識別番号である。換言すると、ＦＩＴ識別番号２１は、例えば、ＳＩＭに振り分けられた固有のＩＤ番号に応じて特定される、一意の値である。
【００２４】
属性情報は、ＦＩＴ２の発信者（例えば、無線通信端末１１の利用者や電気看板１３の設置者など）が設定する属性を示す情報である。属性情報には、不特定多数の利用者間で共有する属性情報（公開）２２と、特定の利用者間でのみ共有する属性情報（秘密）２３と、がある。
【００２５】
属性情報（公開）２２は、ＦＩＴ２を受信した全ての無線通信端末１１が属性を参照可能な情報である。属性情報（公開）２２は、必要に応じて、ＦＩＴ２の発信者により設定される。属性情報（公開）２２には、一つの属性が含まれても構わないし、複数の属性が含まれても構わない。
【００２６】
属性情報（秘密）２３は、ＦＩＴ２を受信した全ての無線通信端末１１のうち予め定められた無線通信端末１１のみが属性を参照可能な情報である。属性情報（秘密）２３は、必要に応じて、ＦＩＴ２の発信者により設定される。属性情報（秘密）２３には、一つの属性が含まれても構わないし、複数の属性が含まれても構わない。
【００２７】
属性情報（秘密）２３には、例えば、属性を示す情報とともに、当該属性情報（秘密）２３を参照するための条件を示す情報を含むことが出来る。属性情報（秘密）２３を参照するための条件は、例えば、参照しようとする無線通信端末１１自身のＦＩＴ２に所定の属性が設定されている、感受性判定部１１４に所定の感受性（所定の属性やＦＩＴ識別番号２１など）が設定されている、属性情報（秘密）２３を含むＦＩＴ２が強さ判定部１１６により強いと判定された、などがある。属性情報（秘密）２３を参照するための条件は、ＦＩＴ２を受信した無線通信端末１１が予め定められた無線通信端末である、など、上記例示した以外の様々な既知の条件であっても構わない。
【００２８】
なお、ＦＩＴ２に含まれる属性情報（公開）２２や属性情報（秘密）２３は、属性情報（公開）２２と属性情報（秘密）２３とを区別しない識別番号である属性識別番号であっても構わない。属性識別番号は、例えば、９桁（任意の桁数で構わない）の数字である。属性情報（公開）２２や属性情報（秘密２３）が属性識別番号である場合、例えば、対応する属性が公開されている属性識別番号が属性情報（公開）２２となり、対応する属性が公開されていない属性識別番号が属性情報（秘密）２３となる。
【００２９】
例えば、属性識別番号”１０５８２６６０３”と属性＜焼肉店＞との対応が公開されているとする。このような場合において、ＦＩＴ２が属性識別番号”１０５８２６６０３”を有する場合、ＦＩＴ２は＜焼肉店＞の属性情報（公開）２２を有することになる。一方、対応する属性が公開されていない属性識別番号” ２１７３２７６８３”をＦＩＴ２が有する場合、ＦＩＴ２は属性情報（秘密）２３を有することになる。このような場合、ＦＩＴ２に付与された属性情報（秘密）２３は、属性識別番号” ２１７３２７６８３”と対応する属性を示す情報を予め有している無線通信端末１１のみが属性を参照可能となる。このように、ＦＩＴ２は、属性情報（公開）２２や属性情報（秘密）２３として機能する属性識別番号を含むよう構成されていても構わない。
【００３０】
以上のように、属性識別番号により属性情報（公開）２２や属性情報（秘密）２３を表す構成とした場合、処理の単純化を可能とすることが出来る。また、属性情報（秘密）２３が単なる属性識別番号から構成されることで、ＦＩＴ２に含まれる属性識別番号から属性情報（秘密）２３の内容を追跡・推測することが出来ないことになる。また、ＷＥＢ上に属性識別番号に対応する属性を公開するなどの容易な方法により、容易に属性情報（秘密）２３を属性情報（公開）２２に転向することが可能となる。また、属性識別番号に対応する属性を示す情報をＷＥＢサイトなどからダウンロードすることで、容易に属性認識性能を最新化することが可能となる。
【００３１】
なお、属性情報は、例えば、ＦＩＴ２の発信者が提供する提供物に応じた属性を示している。例えば、属性情報は、＜公衆トイレ＞、＜ガソリンスタンド＞、＜焼肉店＞、＜無料Ｗｉ−Ｆｉ設置箇所＞などの利用可能なサービスなどを示す属性、＜開店中＞、＜臨時閉店中＞、＜準備中＞、＜満席＞、＜予約優先＞、＜テイクアウト可＞、＜上映中の映画を示す情報＞などのサービスなどの内容や状況を示す属性、＜交通事故多発地帯＞、＜工事中＞、＜通行止め中＞、＜威嚇＞などの注意を促す属性、＜職業名＞、＜サークル名＞、などの嗜好や集まりを示す属性、など、様々な属性を示すことが出来る。属性情報は、上記例示した以外の属性を含んでも構わない。
【００３２】
また、上述したように、ＦＩＴ２には、後述する強さ判定部１１６による判定結果に基づいて、強いと判定された他のＦＩＴ２が付与される。ＦＩＴ２の付与は、ＦＩＴ付与・削除部１１７により行われる。このように、ＦＩＴ２には、一つ又は複数の他のＦＩＴ２を付与することが出来る。なお、ＦＩＴ付与・削除部１１７により付与されたＦＩＴ２は、匂いが他に移ったとも言える為、移りＦＩＴということも出来る。
【００３３】
無線通信システム１は、例えば、上記のような構成を有するＦＩＴ２の送受信を行う。なお、ＦＩＴ２は原則として無記名である。そのため、ＦＩＴ２から発信源の個人情報を追跡することは出来ない。
【００３４】
無線通信端末１１は、例えば、スマートフォンなどの携帯電話端末である。無線通信端末１１は、例示した以外の情報処理端末であっても構わない。
【００３５】
無線通信端末１１は、当該無線通信端末１１の操作者により属性情報が設定される自身のＦＩＴ２を１つ又は複数有している。また、無線通信端末１１は、通信基地局１２や他の無線通信端末１１、電気看板１３などから受信したＦＩＴ２を複数記憶することが出来る。例えば、無線通信端末１１は、ＬＴＥ、４Ｇなどの通信規格に従って、通信基地局１２との間でＦＩＴ２の送受信を行う。また、無線通信端末１１は、通信規格ＩＥＥＥ８０２．１１、ＩＥＥＥ８０２．１５、などに準拠した無線通信により、無線通信端末１１間のＦＩＴ２の送受信を行ったり、電気看板１３からＦＩＴ２の受信を行ったりする。
【００３６】
図３は、無線通信端末１１の構成のうち本実施形態に特徴的な構成の一例を示している。図３を参照すると、無線通信端末１１は、例えば、無線通信部１１１と、記憶装置１１２と、ＦＩＴ削除部１１３と、感受性判定部１１４と、報知部１１５と、強さ判定部１１６と、ＦＩＴ付与・削除部１１７と、属性設定部１８と、を有している。
【００３７】
例えば、無線通信端末１１は、ＣＰＵ（Central Processing Unit）、メモリなどの記憶装置、タッチパネルやキーボタン、マイクロフォンなどの入力装置、ディスプレイやスピーカなどの出力装置、など、携帯電話端末が有する一般的な構成を有している。無線通信端末１１は、例えば、上記記憶装置が有するプログラムをＣＰＵが実行することで、上述した各種処理部を実現する。
【００３８】
無線通信部１１１は、図示しないアンテナを有しており、ＬＴＥ、４Ｇなどの通信規格に従って、通信基地局１２との間でＦＩＴ２の送受信を行う。また、無線通信部１１１は、通信規格ＩＥＥＥ８０２．１１やＩＥＥＥ８０２．１５などに準拠した近距離無線通信により、無線通信端末１１間のＦＩＴ２の送受信を行ったり、電気看板１３からＦＩＴ２の受信を行ったりする。
【００３９】
例えば、無線通信部１１１は、無線通信端末１１が通信基地局１２の通信エリア内に入った際に、記憶装置１１２に格納されている自身のＦＩＴ２を通信基地局１２に対して送信する。また、無線通信部１１１は、通信基地局１２から当該通信基地局１２が記憶するＦＩＴ２を受信する。そして、無線通信部１１１は、受信したＦＩＴ２を記憶装置１１２に格納する。この際、無線通信部１１１は、ＦＩＴ２を受信した時刻と対応付けて受信したＦＩＴ２を記憶装置１１２に格納する。例えば、無線通信部１１１は、上記のような処理を、新たな通信エリアに入るごとに行う。
【００４０】
また、無線通信部１１１は、同一の通信エリア内に留まっている間、予め定められた所定時間（例えば、１時間や２時間など。その他任意の時間であっても構わない）ごとに、上記処理を繰り返す。つまり、無線通信部１１１は、同一の通信エリア内に留まっている場合、所定時間ごとに通信基地局１２に対するＦＩＴ２の送信を行う。そして、通信基地局１２からＦＩＴ２を受信する。
【００４１】
このように、無線通信部１１１は、通信基地局１２に対して自身のＦＩＴ２を送信するとともに、通信基地局１２から当該通信基地局１２が記憶するＦＩＴ２を受信する。
【００４２】
なお、無線通信部１１１は、例えば、無線通信端末１１の操作者からの指示応じて、ＦＩＴ２を通信基地局１２から取得する旨の指示を通信基地局１２に対して送信するよう構成することも出来る。このようなＦＩＴ２の取得行為は、自発的なＦＩＴ２の取得行為であるため、周りのＦＩＴ２を嗅いでみる行為、ということも出来る。周りのＦＩＴ２を嗅ぐことを可能とすることで、ＦＩＴ２の振る舞いを現実の”匂い”の振る舞いにより近付けることが出来る。なお、後述するように、自発的にＦＩＴ２を嗅ぐことでより詳細な情報を通信基地局１２から取得可能なよう構成することも出来る。
【００４３】
また、無線通信部１１１は、通信可能圏内に存在する他の無線通信端末１１とＦＩＴ２の送受信をしたり電気看板１３からＦＩＴ２の受信をしたりする。例えば、無線通信部１１１は、すれちがい通信（登録商標）などの際に用いられる技術を用いることで、他の無線通信端末１１とＦＩＴ２の送受信をしたり電気看板１３からＦＩＴ２の受信をしたりする。
【００４４】
例えば、無線通信部１１１は、ブロードキャストで通信可能圏内に存在する他の無線通信端末１１や電気看板１３に対して所定の接続要求フレームを送信する。これに応じて、他の無線通信端末１１や電気看板１３は、所定の接続応答フレームを返信する。接続応答フレームを受信すると、無線通信部１１１は、他の無線通信端末１１や電気看板１３に対して自身のＦＩＴ２を送信する。そして、他の無線通信端末１１や電気看板１３は、当該他の無線通信端末１１のＦＩＴ２や電気看板１３のＦＩＴ２を、無線通信部１１１を有する無線通信端末１１に対して返信する。その後、無線通信部１１１は、受信したＦＩＴ２を記憶装置１１２に格納する。この際、無線通信部１１１は、ＦＩＴ２を受信した時刻と対応付けて受信したＦＩＴ２を記憶装置１１２に格納する。例えば、このような処理を予め定められた所定周期ごとに繰り返すことで、無線通信端末１１は、通信可能圏内に存在する他の無線通信端末１１や電気看板１３からＦＩＴ２を受信したりする。
【００４５】
なお、接続要求フレームを受信した場合、無線通信部１１１は、接続応答フレームを返信することが出来る。また、無線通信部１１１は、上記のような接続要求フレームの送信を、無線通信端末１１の操作者からの指示に応じて行うことも出来るよう構成することが出来る。
【００４６】
記憶装置１１２は、メモリなどの記憶装置である。記憶装置１１２には、無線通信端末１１自身のＦＩＴ２が記憶されているとともに、通信基地局１２、他の無線通信端末１１、電気看板１３、などから受信した他のＦＩＴ２が記憶されている。
【００４７】
無線通信端末１１が記憶する自身のＦＩＴ２は、例えば、図２で示すような構成を有している。詳細な説明は既に上述したため省略する。自身のＦＩＴ２が有する属性情報（公開）２２や属性情報（秘密）２３は、後述する属性設定部１１８により設定される。また、自身のＦＩＴ２には、所定の条件を満たす場合、記憶装置１１２が記憶する他のＦＩＴ２が付与される。なお、記憶装置１１２には、自身のＦＩＴ２が一つのみ記憶されていても構わないし、複数のＦＩＴ２が記載されていても構わない。
【００４８】
また、記憶装置１１２には、自身のＦＩＴ２とは別に、通信基地局１２、他の無線通信端末１１、電気看板１３、などから受信したＦＩＴ２が記憶されている。図４は、自身のＦＩＴ２とは別に、記憶装置１１２が記憶するＦＩＴ２の一例を示している。図４を参照すると、記憶装置１１２において、自身のＦＩＴ２以外のＦＩＴ２は、当該ＦＩＴ２を受信した時刻と対応付けて記憶されている。例えば、図４の１行目では、ＦＩＴ識別番号が「ＸＸＸＸＸＸＸ」のＦＩＴ２が、取得日時「ｙｙｙｙ／ｍｍ／ｄｄ  １２：００：００」と対応付けられている。
【００４９】
なお、記憶装置１１２には、上記例示した以外の情報が含まれていても構わない。例えば、ＦＩＴ２は、当該ＦＩＴ２を受信した時刻（時刻情報）の他に、ＦＩＴ２を取得した場所を示す情報（場所情報）と対応付けて記憶されても構わない。場所情報は、例えば、通信基地局１２の設置位置に応じた情報などであっても構わない。
【００５０】
また、記憶装置１１２は、同一のＦＩＴ識別番号を有するＦＩＴ２を受信した場合、受信したＦＩＴ２を受信時刻と対応付けて新たに記憶しても構わないし、既に記憶しているＦＩＴ２の情報を上書きしても構わない。また、記憶装置１１２において、同一のＦＩＴ識別番号を有するＦＩＴ２を上書きする構成とした場合、ＦＩＴ２は、時刻情報とともに、同一のＦＩＴ２を受信した回数を示す情報と対応付けて記憶されるよう構成されても構わない。
【００５１】
ＦＩＴ削除部１１３は、記憶装置１１２を参照して、受信した時刻から所定時間経過したＦＩＴ２を削除する。つまり、ＦＩＴ削除部１１３は、属性設定部１１８により属性を設定可能な自身のＦＩＴ２は削除せず、通信基地局１２、他の無線通信端末１１、電気看板１３、などから受信して記憶したＦＩＴ２のみを削除する。
【００５２】
なお、ＦＩＴ削除部１１３がＦＩＴ２を削除するまでの時間は、任意に設定して構わない。例えば、ＦＩＴ削除部１１３は、ＦＩＴ２を受信してから１２時間経過すると当該ＦＩＴ２を削除する。ＦＩＴ削除部１１３は、例えば、ＦＩＴ２を受信してから２４時間経過、４８時間経過などによりＦＩＴ２を削除するよう構成しても構わない。
【００５３】
また、記憶装置１１２がＦＩＴ２と対応付けて同一のＦＩＴ２を受信した回数を示す情報を記憶する構成とした場合、ＦＩＴ削除部１１３は、例えば、予め定められた時間が経過するごとに、ＦＩＴ２に対応付けられた回数を１減少させるよう構成することが出来る。そして、ＦＩＴ削除部１１３は、ＦＩＴ２と対応付けられた回数が０となった際に、当該ＦＩＴ２を削除するよう構成することが出来る。
【００５４】
感受性判定部１１４は、ＦＩＴ２を受信した際に、予め感受性として設定された属性やＦＩＴ識別番号２１などを示す情報が、受信したＦＩＴ２に含まれているか否か判定する。そして、感受性判定部１１４は、感受性として設定された情報が受信したＦＩＴ２に含まれている場合、含まれている旨を報知部１１５に通知する。
【００５５】
例えば、無線通信端末１１の操作者により、属性やＦＩＴ識別番号２１などを示す感受性が予め設定されている。そして、ＦＩＴ２を受信すると、感受性判定部１１４は、受信したＦＩＴ２に含まれるＦＩＴ識別番号２１や属性情報（公開）２２、参照可能な属性情報（秘密）２３などと、感受性と、を比較する。そして、感受性が示す情報が受信したＦＩＴ２に含まれる場合、感受性判定部１１４は、感受性を示す情報をＦＩＴ２が含む旨を報知部１１５に通知する。一方、感受性が示す情報を受信したＦＩＴ２が含まない場合、感受性判定部１１４は、感受性を示す情報をＦＩＴ２が含む旨を報知部１１５に通知しない。
【００５６】
具体的には、例えば、予め感受性として＜焼肉店＞の属性が設定されているとする。このような場合において、属性情報（公開）２２に＜焼肉店＞の属性を持つＦＩＴ２を受信した場合、感受性判定部１１４は、感受性が示す情報が受信したＦＩＴ２に含まれると判定する。そこで、感受性判定部１１４は、感受性を示す情報をＦＩＴ２が含む旨を報知部１１５に通知する。一方、例えば、属性情報（公開）２２に＜焼肉店＞の属性を持たず、参照可能な属性情報（秘密）２３にも＜焼肉店＞の属性が含まれない場合、感受性判定部１１４は、感受性が示す情報が受信したＦＩＴ２に含まれないと判定する。そこで、感受性判定部１１４は、感受性を示す情報をＦＩＴ２が含む旨を報知部１１５に通知しない。
【００５７】
なお、感受性判定部１１４は、例えば、移りＦＩＴの属性に反応するよう構成しても構わない。例えば、感受性判定部１１４は、予め感受性として設定された属性やＦＩＴ識別番号２１などを示す情報が、受信した移りＦＩＴに含まれているか否か判定するよう構成することが出来る。感受性は、ＦＩＴ２と移りＦＩＴとで同じであっても構わないし、それぞれ別であっても構わない。
【００５８】
報知部１１５は、感受性判定部１１４からの通知に応じて報知を行う。例えば、報知部１１５は、感受性判定部１１４から通知を受信した場合、アラームを鳴らす、バイブレーションを発動する、などの方法により、感受性判定部１１４からの通知に応じた報知を行う。
【００５９】
強さ判定部１１６は、受信したＦＩＴ２の強さを判定する。例えば、強さ判定部１１６は、記憶装置１１２に記憶されている同一のＦＩＴ識別番号を有するＦＩＴ２の数に基づいて、ＦＩＴ２の強さを判定する。
【００６０】
例えば、強さ判定部１１６は、記憶装置１１２に記憶されている同一のＦＩＴ識別番号を有するＦＩＴ２の数と、予め定められた第１の閾値Ａ（任意の値を設定して構わない）とを比較する。そして、強さ判定部１１６は、記憶装置１１２に記憶されている同一のＦＩＴ識別番号を有するＦＩＴ２の数が第１の閾値Ａを超えた場合、当該ＦＩＴ識別番号を有するＦＩＴ２を強い（匂いが強い）と判断する。そして、強さ判定部１１６は、ＦＩＴ２を強いと判定した旨をＦＩＴ付与・削除部１１７に通知する。一方、第１の閾値Ａ以下の数が記憶されているＦＩＴ２については、強さ判定部１１６は、ＦＩＴ付与・削除部１１７に対する通知を行わない。
【００６１】
また、強さ判定部１１６は、強いと判定した、同一のＦＩＴ識別番号を有するＦＩＴ２の数と、予め定められた第２の閾値Ｂとを比較する。そして、強さ判定部１１６は、強いと判定した、同一のＦＩＴ識別番号を有するＦＩＴ２の数が第２の閾値Ｂ以下となった場合、当該ＦＩＴ識別番号を有するＦＩＴ２が弱くなった（匂いが弱くなった）と判断する。そして、強さ判定部１１６は、ＦＩＴ２が弱くなったと判定した旨をＦＩＴ付与・削除部１１７に通知する。一方、第２の閾値Ｂを超えている間、強さ判定部１１６は、ＦＩＴ付与・削除部１１７に対する通知を行わない。なお、第２の閾値Ｂは、任意の値で構わないが、例えば、第１の閾値Ａよりも小さな値である。
【００６２】
なお、記憶装置１１２がＦＩＴ２と対応付けて同一のＦＩＴ２を受信した回数を示す情報を記憶する構成とした場合、強さ判定部１１６は、ＦＩＴ２と対応付けて記憶されている回数を示す情報に基づいて、ＦＩＴ２の強さを判定するよう構成することが出来る。また、強さ判定部１１６は、例えば、記憶装置１１２とは別に、所定時間内に取得した、同一のＦＩＴ識別番号２１を有するＦＩＴ２の数をカウントし、カウントした結果に基づいてＦＩＴ２を強いと判定するよう構成しても構わない。記憶装置１１２の参照結果に基づく以外の方法でＦＩＴ２の強さを判定するよう構成しても構わない。
【００６３】
また、強さ判定部１１６は、同一のＦＩＴ識別番号２１を有するＦＩＴ２の数に基づいてＦＩＴ２の強さを判定するとした。しかしながら、ＦＩＴ２は、例えば、属性情報（公開）２２や参照可能な属性情報（秘密）２３に含まれる属性に基づいてＦＩＴ２の強さを判定するよう構成しても構わない。例えば、強さ判定部１１６は、記憶装置１１２に格納されているＦＩＴ２のうち、同一の属性を有するＦＩＴ２の数が第３の閾値Ｃ（第１の閾値Ａと同じ値でも構わないし、異なる値でも構わない）を超えた場合、当該属性を有するＦＩＴ２を強いと判定することが出来る。このように、強さ判定部１１６は、ＦＩＴ識別番号２１や属性情報（公開）２２などに含まれる属性など、同一の情報を有するＦＩＴ２の数に基づいて、ＦＩＴ２の強さを判定するよう構成することが出来る。
【００６４】
ＦＩＴ付与・削除部１１７は、強さ判定部１１６による判定の結果に応じて、自身のＦＩＴ２に他のＦＩＴ２を付与する。また、ＦＩＴ付与・削除部１１７は、強さ判定部１１６による判定の結果に応じて、自身のＦＩＴ２に付与された他のＦＩＴ２を削除する。
【００６５】
例えば、ＦＩＴ付与・削除部１１７は、強さ判定部１１６からＦＩＴ２を強いと判定した旨の通知を受信する。すると、ＦＩＴ付与・削除部１１７は、自身のＦＩＴ２に、強いと判定されたＦＩＴ２を付与する。また、例えば、ＦＩＴ付与・削除部１１７は、強さ判定部１１６から弱くなったと判定した旨の通知を受信する。すると、ＦＩＴ付与・削除部１１７は、自身のＦＩＴ２から弱くなったと判定されたＦＩＴ２を削除する。
【００６６】
なお、ＦＩＴ付与・削除部１１７は、記憶装置１１２に格納されている自身のＦＩＴ２の全てに対して強いと判定されたＦＩＴを付与するよう構成しても構わないし、記憶装置１１２に格納されている自身のＦＩＴ２のうち予め選択されたＦＩＴ２に対してのみ強いと判定されたＦＩＴ２を付与するよう構成しても構わない。また、ＦＩＴ付与・削除部１１７は、強いと判定されたＦＩＴを無制限に自身のＦＩＴ２に付与するよう構成しても構わないし、自身のＦＩＴ２に付与する他のＦＩＴ２の数に上限を設けても構わない。
【００６７】
このように、ＦＩＴ付与・削除部１１７は、強さ判定部１１６による判定結果に基づいて、自身のＦＩＴ２に他のＦＩＴ２を付与したり、自身のＦＩＴ２に付与されている他のＦＩＴ２を削除したりする。なお、ＦＩＴ付与・削除部１１７により付与されたＦＩＴ２は、匂いが他に移ったとも言える為、移りＦＩＴということも出来る。
【００６８】
属性設定部１１８は、自身のＦＩＴ２の設定を行う。属性設定部１１８は、例えば、無線通信端末１１の操作者からの操作に応じて、属性情報（公開）２２や属性情報（秘密）２３に属性を追加したり削除したりする。属性設定部１１８が設定可能な属性は、上述したように、特に限定しない。
【００６９】
以上が、無線通信端末１１の構成の一例である。
【００７０】
通信基地局１２は、図示しないネットワークを介して他の通信基地局１２と互いに通信可能に接続されている。また、通信基地局１２には、１つの通信エリア（セル）が割り当てられている。なお、通信基地局１２は、複数のセルを割り当て可能に構成されていてもよい。
【００７１】
通信基地局１２は、当該通信基地局１２に割り当てられたセル内に位置する無線通信端末１１や電気看板１３との間で無線通信を行う。例えば、通信基地局１２は、割り当てられたセル内に位置する無線通信端末１１との間でＦＩＴ２の送受信をする。また、通信基地局１２は、電気看板１３からＦＩＴ２を受信する。本実施形態における通信基地局１２は、受信したＦＩＴ２を記憶装置１２２に格納するが、ネットワークを介した外部の装置への送信は行わない。通信基地局１２は、複数の無線通信端末１１や電気看板１３と同時に通信可能に構成される。
【００７２】
図５は、通信基地局１２の構成のうち本実施形態に特徴的な構成の一例を示している。図５を参照すると、通信基地局１２は、例えば、無線通信部１２１と、記憶装置１２２と、ＦＩＴ削除部１２３とを有している。
【００７３】
例えば、通信基地局１２は、通信基地局１２としての一般的な構成を有するとともに、図示しない情報処理装置を備える。また、情報処理装置は、図示しないＣＰＵや、メモリやハードディスクなどの記憶装置を備える。通信基地局１２は、例えば、上記記憶装置が有するプログラムをＣＰＵが実行することで、上述した各種処理部を実現する。
【００７４】
無線通信部１２１は、図示しないアンテナを有しており、ＬＴＥ、４Ｇなどの通信規格に従って、無線通信端末１１との間でＦＩＴ２の送受信を行ったり、電気看板１３からＦＩＴ２の受信を行ったりする。
【００７５】
例えば、無線通信部１２１は、無線通信端末１１からＦＩＴ２を受信する。すると、無線通信部１２１は、記憶装置１２２が記憶するＦＩＴ２のうち、受信したＦＩＴ２と同じＦＩＴ識別番号を有するＦＩＴ２以外のＦＩＴ２を送信元の無線通信端末１１に対して送信する。また、無線通信部１２１は、受信したＦＩＴ２を記憶装置１２２に格納する。
【００７６】
無線通信部１２１は、無線通信端末１１からＦＩＴ２を受信するごとに、上記処理を行う。
【００７７】
なお、無線通信端末１１から、ＦＩＴ２そのものではなく、ＦＩＴ２を取得する旨の指示を受信することもある。このような指示を受信した場合も、通信基地局１２は、記憶装置１２２に格納されているＦＩＴ２を無線通信端末１１に対して送信する。
【００７８】
また、通信基地局１２は、記憶装置１２２が記憶する全てのＦＩＴ２を無線通信端末１１に対して送信するよう構成しても構わないし、記憶装置１２２が記憶するＦＩＴ２のうちの一部のＦＩＴ２のみを無線通信端末１１に対して送信するよう構成しても構わない。また、通信基地局１２は、記憶装置１２２が記憶するＦＩＴ２に含まれる属性情報の一部を削除して無線通信端末１１に送信するよう構成しても構わない。通信基地局１２は、例えば、無線通信端末１１がＦＩＴ２を送信してきた場合にＦＩＴ２に含まれる属性情報の一部を削除して無線通信端末１１に送信する一方で、ＦＩＴ２を取得する旨の指示を送信してきた場合に属性情報を削除せずにＦＩＴ２を送信するよう構成することも出来る。このように構成することで、無線通信端末１１が能動的にＦＩＴ２を嗅いだ際により詳細なＦＩＴ２を送信することが可能となる。
【００７９】
また、無線通信部１２１は、電気看板１３からＦＩＴ２を受信する。すると、無線通信部１２１は、受信したＦＩＴ２を記憶装置１２２に格納する。無線通信部１２１は、記憶装置１２２に格納されたＦＩＴ２を電気看板１３に対して送信するよう構成しても構わないし、電気看板１３に対して送信しないよう構成しても構わない。
【００８０】
記憶装置１２２は、メモリやハードディスクなどの記憶装置である。記憶装置１２２には、無線通信端末１１や電気看板１３などから受信したＦＩＴ２が記憶されている。
【００８１】
図６は、記憶装置１２２が記憶するＦＩＴ２の一例を示している。図６を参照すると、ＦＩＴ２は、当該ＦＩＴ２を受信した時刻と対応付けて記憶されている。例えば、図６の１行目では、ＦＩＴ識別番号が「ＸＸＸＸＸＸＸ」のＦＩＴ２が、取得日時「ｙｙｙｙ／ｍｍ／ｄｄ  ９：００：００」と対応付けられている。
【００８２】
ＦＩＴ削除部１２３は、記憶装置１２２を参照して、受信した時刻から所定時間経過したＦＩＴ２を削除する。換言すると、無線通信端末１１や電気看板１３などから受信したＦＩＴ２は、所定時間経過するとＦＩＴ削除部１２３により記憶装置１１２から削除されることになる。
【００８３】
ＦＩＴ削除部１２３がＦＩＴ２を削除するまでの時間は、任意に設定（例えば、１２時間や２４時間、４８時間など）して構わない。例えば、ＦＩＴ削除部１２３がＦＩＴ２を削除するまでの時間は、ＦＩＴ削除部１１３がＦＩＴ２を削除するまでの時間と同じであっても構わないし、ＦＩＴ削除部１１３がＦＩＴ２を削除するまでの時間より長くても構わない。
【００８４】
以上が、通信基地局１２の構成の一例である。
【００８５】
電気看板１３は、街頭に設置される看板などであり、無線通信を行う機能を有している。電気看板１３は、当該電気看板１３の設置者により属性情報が設定される自身のＦＩＴ２を１つ又は複数有している。例えば、電気看板１３は、ＬＴＥ、４Ｇなどの通信規格に従って、通信基地局１２に対してＦＩＴ２を送信する。また、電気看板１３は、通信規格ＩＥＥＥ８０２．１１、ＩＥＥＥ８０２．１５、などに準拠した無線通信により、無線通信端末１１に対してＦＩＴ２を送信する。
【００８６】
図７は、電気看板１３の構成のうち本実施形態に特徴的な構成の一例を示している。図７を参照すると、電気看板１３は、例えば、無線通信部１３１と、記憶装置１３２と、を有している。
【００８７】
例えば、電気看板１３は、図示しない情報処理装置を備える。また、情報処理装置は、図示しないＣＰＵや、メモリやハードディスクなどの記憶装置を備える。電気看板１３は、例えば、上記記憶装置が有するプログラムをＣＰＵが実行することで、上述した処理部を実現する。
【００８８】
無線通信部１３１は、図示しないアンテナを有しており、ＬＴＥ、４Ｇなどの通信規格に従って、通信基地局１２に対してＦＩＴ２を送信する。また、無線通信部１３１は、通信規格ＩＥＥＥ８０２．１１やＩＥＥＥ８０２．１５などに準拠した近距離無線通信により、無線通信端末１１に対してＦＩＴ２を送信する。
【００８９】
例えば、無線通信部１３１は、電源がオンである間、予め定められた所定時間（例えば、１時間や２時間など。その他任意の時間であっても構わない）ごとに、記憶装置１３２に格納されている自身のＦＩＴ２を通信基地局１２に対して送信する。また、無線通信部１３１は、通信基地局１２から当該通信基地局１２が記憶するＦＩＴ２を受信した場合、受信したＦＩＴ２を記憶装置１３２に格納せず廃棄する。無線通信部１３１は、受信したＦＩＴ２を記憶装置１３２に格納するよう構成しても構わない。
【００９０】
このように、無線通信部１３１は、定期的に、通信基地局１２に対して自身のＦＩＴ２を送信する。
【００９１】
また、例えば、無線通信部１３１は、通信可能圏内に存在する無線通信端末１１に対するＦＩＴ２の送信を行う。例えば、無線通信部１３１は、接続要求フレームを受信する。すると、無線通信部１３１は、受信した接続要求フレームに応じて、所定の接続応答フレームを返信する。その後、無線通信端末１１からＦＩＴ２を受信すると、無線通信部１３１は、自身のＦＩＴ２を無線通信端末１１に対して返信する。電気看板１３は、受信したＦＩＴ２を記憶装置１３２に格納しても構わないし、格納しなくても構わない。
【００９２】
なお、無線通信部１３１は、接続要求フレームを送信するよう構成しても構わない。
【００９３】
記憶装置１３２は、メモリなどの記憶装置である。記憶装置１３２には、電気看板１３自身のＦＩＴ２が記憶されている。記憶装置１３２には、通信基地局１２や無線通信端末１１などから受信したＦＩＴ２が記憶されていても構わない。
【００９４】
以上が、電気看板１３の構成の一例である。
【００９５】
無線通信システム１は、例えば、上述したような構成を有する無線通信端末１１と通信基地局１２と電気看板１３とを有している。
【００９６】
続いて、図８から図１２までを参照して、無線通信システム１の動作の一例について説明する。
【００９７】
まず、図８を参照して、無線通信端末１１がＦＩＴ２を送信する際の処理の一例について説明する。図８は、無線通信端末１１の処理の一例を示すフローチャートである。図８を参照すると、例えば、無線通信部１１１は、無線通信端末１１が通信基地局１２の通信エリア内に入った際に、記憶装置１１２に格納されている自身のＦＩＴ２を通信基地局１２に対して送信する（ステップＳ１０１）。
【００９８】
通信基地局１２の無線通信部１２１は、無線通信端末１１が送信したＦＩＴ２を受信する。すると、通信基地局１２は、当該通信基地局１２が記憶するＦＩＴ２を無線通信端末１１に対して送信する。
【００９９】
無線通信端末１１の無線通信部１１１は、通信基地局１２が送信したＦＩＴ２を受信する（ステップＳ１０２）。そして、無線通信部１１１は、受信したＦＩＴ２を記憶装置１１２に格納する（ステップＳ１０３）。
【０１００】
また、無線通信端末１１の無線通信部１１１は、前回ＦＩＴ２を通信基地局１２に送信してから所定時間経過したか否か確認する（ステップＳ１０３）。所定時間経過していなかった場合（ステップＳ１０３、Ｎｏ）、無線通信端末１１の無線通信部１１１は、所定時間経過するまで待機する。一方、所定時間経過した場合（ステップＳ１０３、Ｙｅｓ）、無線通信端末１１の無線通信部１１１は、再度自身のＦＩＴ２を通信基地局１２に対して送信する（ステップＳ１０１）。
【０１０１】
続いて、図９を参照して、記憶装置１１２に格納されたＦＩＴ２を削除する際の処理の一例について説明する。図９は、無線通信端末１１がＦＩＴ２を削除する際の処理の一例を示すフローチャートである。図９を参照すると、ＦＩＴ削除部１１３は、記憶装置１１２を参照して、ＦＩＴ２を受信してから所定時間経過したか否かを確認する（ステップＳ２０１）。
【０１０２】
所定時間経過していない場合（ステップＳ２０１、Ｎｏ）、ＦＩＴ削除部１１３は、所定時間経過するまで待機する。一方、所定時間経過した場合（ステップＳ２０１、Ｙｅｓ）、ＦＩＴ削除部１１３は、所定時間経過したＦＩＴ２を削除する（ステップＳ２０２）。
【０１０３】
削除したＦＩＴ２以外にも記憶装置１１２にＦＩＴ２が格納されている場合（ステップＳ２０３、Ｙｅｓ）、ＦＩＴ削除部１１３は、ステップＳ２０１の確認処理を再度行う。一方、削除したＦＩＴ２以外に記憶装置１１２にＦＩＴ２が格納されていなかった場合（ステップＳ２０３、Ｎｏ）、ＦＩＴ削除部１１３は、処理を終了する。
【０１０４】
次に、図１０を参照して、感受性判定の処理の一例について説明する。図１０は、無線通信端末１１が報知を行う際の処理の一例を示すフローチャートである。図１０を参照すると、無線通信端末１１は、ＦＩＴ２を受信すると、予め感受性として設定された属性やＦＩＴ識別番号２１などを示す情報が、受信したＦＩＴ２に含まれているか否か判定する。（ステップＳ３０１）。
【０１０５】
感受性が示す情報が受信したＦＩＴ２に含まれる場合（ステップＳ３０１、Ｙｅｓ）、感受性判定部１１４は、感受性を示す情報をＦＩＴ２が含む旨を報知部１１５に通知する。これにより、報知部１１５は、バイブレーションを発動するなど、予め定められた報知を行う（ステップＳ３０２）。一方、感受性が示す情報を受信したＦＩＴ２が含まない場合（ステップＳ３０１、Ｎｏ）、感受性判定部１１４は、感受性を示す情報をＦＩＴ２が含む旨を報知部１１５に通知しない。
【０１０６】
続いて、ＦＩＴ２の強さを判定する際の処理の一例について図１１を参照して説明する。図１１は、無線通信端末１１がＦＩＴ２の強さを判別する際の処理の一例を示すフローチャートである。図１１を参照すると、強さ判定部１１６は、記憶装置１１２に記憶されている同一のＦＩＴ識別番号を有するＦＩＴ２の数と、予め定められた第１の閾値Ａとを比較する（ステップＳ４０１）。
【０１０７】
記憶装置１１２に記憶されている同一のＦＩＴ識別番号を有するＦＩＴ２の数が第１の閾値Ａ以下である場合（ステップＳ４０１、Ｎｏ）、強さ判定部１１６は、処理を終了する。一方、記憶装置１１２に記憶されている同一のＦＩＴ識別番号を有するＦＩＴ２の数が第１の閾値Ａを超えた場合（ステップＳ４０１、Ｙｅｓ）、強さ判定部１１６は、当該ＦＩＴ識別番号を有するＦＩＴ２を強い（匂いが強い）と判断する。そして、強さ判定部１１６は、ＦＩＴ２を強いと判定した旨をＦＩＴ付与・削除部１１７に通知する。これにより、ＦＩＴ付与・削除部１１７は、強いと判定されたＦＩＴ２を自身のＦＩＴ２に付与する（ステップＳ４０２）。
【０１０８】
また、強さ判定部１１６は、強いと判定した、同一のＦＩＴ識別番号を有するＦＩＴ２の数と、予め定められた第２の閾値Ｂとを比較する（ステップＳ４０３）。ＦＩＴ２の数が第２の閾値Ｂを超えている場合（ステップＳ４０３、Ｎｏ）、強さ判定部１１６は、ＦＩＴ付与・削除部１１７に対する通知を行わず待機する。一方、強いと判定した、同一のＦＩＴ識別番号を有するＦＩＴ２の数が第２の閾値Ｂ以下となった場合（ステップＳ４０３、Ｙｅｓ）、強さ判定部１１６は、当該ＦＩＴ識別番号を有するＦＩＴ２が弱くなった（匂いが弱くなった）と判断する。そして、強さ判定部１１６は、ＦＩＴ２が弱くなったと判定した旨をＦＩＴ付与・削除部１１７に通知する。これにより、ＦＩＴ付与・削除部１１７は、弱くなったと判定されたＦＩＴ２を自身のＦＩＴ２から削除する（ステップＳ４０４）。
【０１０９】
次に、図１２を参照して、通信基地局１２の動作の一例について説明する。図１２は、通信基地局１２の処理の一例を示すフローチャートである。
図１２を参照すると、通信基地局１２の無線通信部１２１は、無線通信端末１１からＦＩＴ２を受信する（ステップＳ５０１）。すると、無線通信部１２１は、記憶装置１２２が記憶するＦＩＴ２のうち、受信したＦＩＴ２と同じＦＩＴ識別番号を有するＦＩＴ２以外のＦＩＴ２を送信元の無線通信端末１１に対して送信する（ステップＳ５０２）。また、無線通信部１２１は、受信したＦＩＴ２を記憶装置１２２に格納する（ステップＳ５０３）。なお、ステップＳ５０２の処理の前にステップＳ５０３の処理が行われても構わないし、ステップＳ５０２の処理とステップＳ５０３の処理とが同時に行われても構わない。
【０１１０】
ＦＩＴ削除部１２３は、記憶装置１２２を参照して、ＦＩＴ２を受信してから所定時間経過したか否かを確認する（ステップＳ５０４）。
【０１１１】
所定時間経過していない場合（ステップＳ５０４、Ｎｏ）、ＦＩＴ削除部１２３は、所定時間経過するまで待機する。一方、所定時間経過した場合（ステップＳ５０４、Ｙｅｓ）、ＦＩＴ削除部１２３は、所定時間経過したＦＩＴ２を削除する（ステップＳ５０５）。
【０１１２】
削除したＦＩＴ２以外にも記憶装置１２２にＦＩＴ２が格納されている場合（ステップＳ５０６、Ｙｅｓ）、ＦＩＴ削除部１２３は、ステップＳ５０４の確認処理を再度行う。一方、削除したＦＩＴ２以外に記憶装置１２２にＦＩＴ２が格納されていなかった場合（ステップＳ５０６、Ｎｏ）、ＦＩＴ削除部１２３は、処理を終了する。
【０１１３】
以上が、無線通信システム１の動作の一例である。
【０１１４】
ここで、本実施形態で説明したＦＩＴ２の利用例を挙げる。まず、ＦＩＴ２を用いて個人の識別を行う例について例示する。
【０１１５】
Ａ  利用者Ａは利用者ＢのＦＩＴ識別番号２１を事前に確認する。そして、利用者Ａは自身の無線通信端末１１の感受性として利用者ＢのＦＩＴ識別番号２１を設定する。
このように設定することで、飲食店やイベント会場などで、利用者Ａは友人である利用者Ｂが同じ場所に居る／居たことに気付く。
また、ＦＩＴ２の場所情報・時刻情報を利用して警察犬のように臭跡を追うことが出来る。
利用者Ａは、顔を合わせたくない利用者Ｂの存在を感知し、突然の鉢合わせを避けることができる。
【０１１６】
Ｂ  利用者は同じ場所で特定の個人と頻繁にすれ違っていることに気付く。
（頻繁なＦＩＴ２受信を携帯端末から報告される、特定のモノにその人物の移りＦＩＴ２が残っていることに気付く）
利用者：「縄張り荒らしか？自分のＦＩＴ２に＜威嚇＞開示属性を付けてここに擦り付けて（長時間滞留を指定して）おこう」
利用者：「同好の士か？メッセージを残してみるか」
【０１１７】
Ｃ  利用者はハウスキーピングＡＩ（artificial intelligence）に自身のＦＩＴ２を監視させている。
ハウスキーピングＡＩ：「くんくん、御主人のＦＩＴ２がしなくなったから照明をおとして掃除を始める〜♪」
ハウスキーピングＡＩ：「帰宅した御主人のＦＩＴ２に＜焼き肉店＞開示属性の移りＦＩＴが。この後の活動提案はお風呂の優先度を高めよう」
【０１１８】
Ｄ  利用者は、自身の無線通信端末１１に興味領域の属性情報に対して感受性を設定している。
すれ違った人のＦＩＴ２に開示属性＜『キングコング〜髑髏島の巨神〜』（の電気看板）＞の移りＦＩＴがこびりついている！声を掛けよう！
家族や趣味のグループのメンバーで、各人のＦＩＴに共通の秘密属性＜ＸＸＸのメンバー＞を設定する。メンバー同士がすれ違った際、「貴様、わが一族のものか。これまで会ったことはないが」と気付くが、他人にはその意味は秘匿されている。
【０１１９】
続いて、ＦＩＴ２を用いて飲食店の識別を行う例について例示する。
【０１２０】
例えば、飲食店の看板にＳＩＭを組込み、ＦＩＴ２の発信源とする利用方法を示す。看板に電源を入れるとＦＩＴ２の発信が開始され、電源を落とすと（一定の滞留時間後に）エリアから当該ＦＩＴ２が消える。
【０１２１】
インターネット検索で店舗を検索すると、一般に、ＤＢに蓄積された過去のある一点の登録情報を参照するが、ＦＩＴ２による感知では、自身の居場所、現在時間に即した情報を利用できる。
【０１２２】
Ｅ  利用者は、現在自分が居る場所で周囲のＦＩＴ２の情報を取得する。
インターネット検索で飲食店を検索した際に起こりがちな、訪れてみたら休業、という不具合が発生しにくい。
空腹を自覚したことを契機に、「周りのＦＩＴを嗅いでみる」行動ができる。この際、ＧＰＳなどで場所情報を取得する必要が無い。特に、念入りに周辺の情報を取得するためには、基地局から主要なものだけではなく、詳細なＦＩＴを含めて改めて受領する「嗅ぐ操作」を行う。
いつも同じ営業中の飲食店の前を通っているなど、ＦＩＴ受信頻度により、自身の通勤通学経路、その時刻、曜日などにより適合する飲食店の優先度付推薦リストを受け取ることができる。インターネット検索で同様のリストを作成するためには、自身の行動に関して細かな絞り込みを行い検索時に入力する必要がある。
【０１２３】
続いて、社会の雰囲気の醸成、公共のＦＩＴ２の使用例について例示する。実施例として、開示属性＜公衆トイレ＞や、＜ガソリンスタンド＞のＦＩＴを想定する。
【０１２４】
Ｆ  利用者は、ＤＢに蓄積された登録情報ではない、自身の居場所、現在時間に即した情報を利用できる。
移動中にＦＩＴ２を自動記録して、今歩いてきた経路に公衆トイレが無かったか振返って確認する。（地図情報ベースではなく、今ＳＩＭが生きているリアルベース）
ＡＩ冷蔵庫が内容物状況に応じて自身のＦＩＴ２に開示属性＜食物期限切れ＞を付与。
もっと抽象的な、「無料Ｗｉ−Ｆｉの匂い（ＦＩＴ２）」、「交通事故多発で緊張すべき場所の匂い（ＦＩＴ２）」。
【０１２５】
Ｇ  特定の嗜好をＦＩＴ２で表現
イベントなどで特定の嗜好（コミックマーケット参加者、なぎなた競技者、日本数学会会員、医者etc）を示すＦＩＴ２を発信するバッジを配布。
イベント会場付近のバス停あたりから匂いはじめ、追跡していくと会場に近づくにつれムンムンとＦＩＴ２が強くなる。
（同属性の受信頻度、延べ受信数を強いＦＩＴ２と判定）
【０１２６】
以上が、ＦＩＴ２の利用例である。なお、ＦＩＴ２は、上記例示した以外の場面で利用して構わない。
【０１２７】
以上、本実施形態において説明したように、無線通信端末１１は、ネットワークを介して外部の装置へと送信されないＦＩＴ２を通信基地局１２へと送信するよう構成されている。また、無線通信端末１１は、ＦＩＴ削除部１１３を有しており、受信してから所定時間経過したＦＩＴ２を削除するよう構成されている。つまり、無線通信端末１１は、場所と時間に紐付けられた情報であるＦＩＴ２を用いるよう構成されている。このような構成により、現実の”匂い”の振る舞いと同様の振る舞いを行うＦＩＴ２を実現することが出来る。これにより、リアルタイムで発信された情報と発信されてから所定時間経過する前の情報のみを取得することなどが可能となる。つまり、上記構成によると、利用者のいる場所や時刻等に応じた利用可能な情報を的確に取得することが可能となる。
【０１２８】
言い換えると、本発明によると、既存のＩＴ（information technology）におけるＰｕｓｈ技術、Ｐｕｌｌ技術による情報提供とは異なる、利用者が通信を意識せず、利用者のいる場所、時間において利用可能な情報を最大限取得する情報提供が可能となる。また、ＩＯＴ（Internet of Things）で想定される、膨大な数のモノの通信を、エリア単位で解決し利用する手段を提供することが出来る。なお、本実施形態で説明した方法によると、通信は、原則的にモノとモノとのすれ違い時と、特定エリア内でのＦＩＴ登録時に限られ、広くネットワークをまたいだ通信は発生しない。
【０１２９】
なお、ＦＩＴ識別番号２１などのモノの識別情報は、特定エリアでその時々でのユニークであればよく、センター管理する必要は無い。
【０１３０】
また、本実施形態においては、無線通信システム１が無線通信端末１１と通信基地局１２と電気看板１３とを有するとした。しかしながら、無線通信システム１は、必ずしも電気看板１３を有していなくても構わない。
【０１３１】
また、本実施形態では、利用イメージのわかりやすさから現実の場所とＦＩＴ２を括りつけて説明した。しかしながら、第１の実施形態で説明した「場所」とは、ネットワーク上のアドレスなど抽象的なものでも構わない。
【０１３２】
一例として、ネットワーク上のＷＥＢ（World Wide Web）サイトを場所ととらえ、特定のＷＥＢサイトに現在アクセスしているユーザのＦＩＴ２を利用するシーンが考えられる。
【０１３３】
このシーンでは、ＷＥＢサイトのＦＩＴ２（電気看板１３に相当）とユーザ個人のＦＩＴ２（無線通信端末１１に相当）が作成されており、ＷＥＢサイトのサーバがＦＩＴ２の蓄積を担う（通信基地局１２に相当）とする。
【０１３４】
利用者は、サイトのサーバに蓄積されたＦＩＴ２を収集することで、サイトログ確認などの機能に依存せずに、そのサイトへの友人のログインや、さきほどまで友人がそのサイトにアクセスしていた形跡に気付くことが出来る。また、友人のＦＩＴ２に残留している他のＷＥＢサイトのＦＩＴ２を確認することで、友人が経由してきた他ＷＥＢサイトの内容を追跡することが出来る。
【０１３５】
［第２の実施形態］
次に、図１３を参照して、本発明の第２の実施形態について説明する。第２の実施形態では、無線通信端末３の構成の概要について説明する。
【０１３６】
図１３を参照すると、無線通信端末３は、無線通信部３１と、記憶装置３２と、削除部３３と、を有している。例えば、無線通信端末３は、図示しない演算装置であるＣＰＵと記憶装置とを有しており、記憶装置に格納されたプログラムをＣＰＵが実行することで、上記処理部を実現する。
【０１３７】
無線通信部３１は、場所と時間に紐付けられた情報である一時滞留情報を通信基地局に対して送信する。また、無線通信部３１は、通信基地局から当該通信基地局が記憶する一時滞留情報を受信する。
【０１３８】
記憶装置３２は、無線通信部３１が受信した一時滞留情報を格納する。
【０１３９】
削除部３３は、記憶装置３２に格納された一時滞留情報を削除する。例えば、削除部３３は、一時滞留情報の受信後、予め定められた所定時間経過した一時滞留情報を削除する。
【０１４０】
このように、無線通信端末３は、場所と時間に紐付けられた情報である一時滞留情報を通信基地局に対して送信するよう構成されている。また、無線通信端末３は、削除部３３を有している。このような構成により、削除部３３は、一時滞留情報を格納した後、所定時間の経過により一時滞留情報を削除する。これにより、リアルタイムで発信された情報と発信されてから所定時間経過する前の情報のみを取得することなどが可能となる。つまり、上記構成によると、利用者のいる場所や時刻等に応じた利用可能な情報を的確に取得することが可能となる。
【０１４１】
また、上述した無線通信端末３は、当該無線通信端末３に所定のプログラムが組み込まれることで実現できる。具体的に、本発明の他の形態であるプログラムは、無線通信部が受信した一時滞留情報を格納する記憶装置を有する無線通信端末に、場所と時間に紐付けられた情報である一時滞留情報を通信基地局に対して送信するとともに、通信基地局から当該通信基地局が記憶する一時滞留情報を受信する無線通信部と、一時滞留情報の受信後、予め定められた所定時間経過した一時滞留情報を削除する削除部と、を実現するためのプログラムである。
【０１４２】
また、上述した無線通信端末３により実行される無線通信方法は、無線通信端末が、場所と時間に紐付けられた情報である一時滞留情報を通信基地局に対して送信するとともに、通信基地局から当該通信基地局が記憶する一時滞留情報を受信し、受信した一時滞留情報を格納し、一時滞留情報の受信後、予め定められた所定時間経過した一時滞留情報を削除する、という方法である。
【０１４３】
上述した構成を有する、プログラム、又は、無線通信方法、の発明であっても、上記無線通信端末と同様の作用を有するために、上述した本発明の目的を達成することが出来る。
【０１４４】
また、同様に、通信基地局や電気看板の発明も、本発明の目的を達成することが出来る。
【０１４５】
例えば、通信基地局は、場所と時間に紐付けられた情報である一時滞留情報を格納する記憶装置と、一時滞留情報を無線通信端末から受信するとともに、記憶装置に格納された一時滞留情報を無線通信端末に対して送信する無線通信部と、一時滞留情報の受信後、予め定められた所定時間経過した一時滞留情報を削除する削除部と、を有する、という構成を有する。
【０１４６】
また、例えば、電気看板は、場所と時間に紐付けられた情報である一時滞留情報を格納する記憶装置と、記憶装置に格納された一時滞留情報を通信基地局に対して送信する無線通信部と、を有するという構成を有する。
【０１４７】
＜付記＞
上記実施形態の一部又は全部は、以下の付記のようにも記載されうる。以下、本発明における無線通信端末などの概略を説明する。但し、本発明は、以下の構成に限定されない。
【０１４８】
（付記１）
場所と時間に紐付けられた情報である一時滞留情報を通信基地局に対して送信するとともに、通信基地局から当該通信基地局が記憶する前記一時滞留情報を受信する無線通信部と、
前記無線通信部が受信した前記一時滞留情報を格納する記憶装置と、
前記一時滞留情報の受信後、予め定められた所定時間経過した前記一時滞留情報を削除する削除部と、
を有する
無線通信端末。
（付記２）
付記１に記載の無線通信端末であって、
前記一時滞留情報は、当該一時滞留情報の発信者が提供する提供物に応じた属性を示す属性情報を含んでいる
無線通信端末。
（付記３）
付記１又は２に記載の無線通信端末であって、
前記一時滞留情報は、送信先の通信基地局からネットワークを介して外部へと送信されず、送信先の基地局において記憶された後、所定時間経過後に削除される情報である
無線通信端末。
（付記３−１）
付記１から付記３までのいずれかに記載の無線通信端末であって、
前記一時滞留情報には、不特定多数の利用者間で共有する属性を示す公開属性情報と、特定の利用者間でのみ共有する属性を示す秘密属性情報と、のうちの少なくとも一方が含まれている
無線通信端末。
（付記４）
付記１から付記３までのいずれかに記載の無線通信端末であって、
前記記憶装置に格納されている前記一時滞留情報の強さを判定する強さ判定手段と、
前記強さ判定手段による判定結果に基づいて、前記一時滞留情報を他の前記一時滞留情報に付与する滞留情報付与部と、
を有する
無線通信端末。
（付記５）
付記４に記載されている無線通信端末であって、
前記強さ判定手段は、同一の情報を有する前記一時滞留情報の数に基づいて、前記一時滞留情報の強さを判定する
無線通信端末。
（付記５−１）
付記５に記載の無線通信端末であって、
前記強さ判定手段は、前記一時滞留情報を識別するための情報が同一である前記一時滞留情報の数に基づいて、前記一時滞留情報の強さを判定する
無線通信端末。
（付記５−２）
付記５又は５−１に記載の無線通信端末であって、
前記強さ判定手段は、前記一時滞留情報の発信者が提供する提供物に応じた属性を示す属性情報が同一である前記一時滞留情報の数に基づいて、前記一時滞留情報の強さを判定する
無線通信端末。
（付記６）
付記１から付記５までのいずれかに記載の無線通信端末であって、
受信した前記一時滞留情報に所定の情報が含まれることを判定する感受性判定部と、
前記感受性判定部による判定結果に基づいて所定の報知を行う報知部と、
を有する
無線通信端末。
（付記６−１）
付記６に記載の無線通信端末であって、
前記無線通信部は、近距離無線通信を用いて近傍に位置する他の無線通信端末と前記一時滞留情報を送受信する
無線通信端末。
（付記７）
無線通信端末が、
場所と時間に紐付けられた情報である一時滞留情報を通信基地局に対して送信するとともに、通信基地局から当該通信基地局が記憶する前記一時滞留情報を受信し、
受信した前記一時滞留情報を格納し、
前記一時滞留情報の受信後、予め定められた所定時間経過した前記一時滞留情報を削除する
無線通信方法。
（付記８）
無線通信部が受信した一時滞留情報を格納する記憶装置を有する無線通信端末に、
場所と時間に紐付けられた情報である前記一時滞留情報を通信基地局に対して送信するとともに、通信基地局から当該通信基地局が記憶する前記一時滞留情報を受信する無線通信部と、
前記一時滞留情報の受信後、予め定められた所定時間経過した前記一時滞留情報を削除する削除部と、
を実現するための
プログラム。
（付記９）
場所と時間に紐付けられた情報である一時滞留情報を格納する記憶装置と、
前記一時滞留情報を無線通信端末から受信するとともに、前記記憶装置に格納された前記一時滞留情報を無線通信端末に対して送信する無線通信部と、
前記一時滞留情報の受信後、予め定められた所定時間経過した前記一時滞留情報を削除する削除部と、
を有する
通信基地局。
（付記９−１）
場所と時間に紐付けられた情報である一時滞留情報を格納する記憶装置を有する通信基地局が、
前記一時滞留情報を無線通信端末から受信するとともに、前記記憶装置に格納された前記一時滞留情報を無線通信端末に対して送信し、
前記一時滞留情報の受信後、予め定められた所定時間経過した前記一時滞留情報を削除する
基地局通信方法。
（付記９−２）
場所と時間に紐付けられた情報である一時滞留情報を格納する記憶装置を有する通信基地局に、
前記一時滞留情報を無線通信端末から受信するとともに、前記記憶装置に格納された前記一時滞留情報を無線通信端末に対して送信する無線通信部と、
前記一時滞留情報の受信後、予め定められた所定時間経過した前記一時滞留情報を削除する削除部と、
を実現させるためのプログラム。
（付記１０）
場所と時間に紐付けられた情報である一時滞留情報を格納する記憶装置と、
前記記憶装置に格納された前記一時滞留情報を通信基地局に対して送信する無線通信部と、
を有する
電気看板。
（付記１０−１）
場所と時間に紐付けられた情報である一時滞留情報を格納する記憶装置を有する電気看板が、
前記記憶装置に格納された前記一時滞留情報を通信基地局に対して送信する
電気看板通信方法。
（付記１０−２）
場所と時間に紐付けられた情報である一時滞留情報を格納する記憶装置を有する電気看板に、
前記記憶装置に格納された前記一時滞留情報を通信基地局に対して送信する無線通信部を実現するためのプログラム。
【０１４９】
なお、上記各実施形態及び付記において記載したプログラムは、記憶装置に記憶されていたり、コンピュータが読み取り可能な記録媒体に記録されていたりする。例えば、記録媒体は、フレキシブルディスク、光ディスク、光磁気ディスク、及び、半導体メモリ等の可搬性を有する媒体である。
【０１５０】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【０１５１】
なお、本発明は、日本国にて２０１８年１月４日に特許出願された特願２０１８−１５５の特許出願に基づく優先権主張の利益を享受するものであり、当該特許出願に記載された内容は、全て本明細書に含まれるものとする。
【符号の説明】
【０１５２】
１  無線通信システム
１１  無線通信端末
１１１  無線通信部
１１２  記憶装置
１１３  ＦＩＴ削除部
１１４  感受性判定部
１１５  報知部
１１６  強さ判定部
１１７  ＦＩＴ付与・削除部
１１８  属性設定部
１２  通信基地局
１２１  無線通信部
１２２  記憶装置
１２３  ＦＩＴ削除部
１３  電気看板
１３１  無線通信部
１３２  記憶装置
２  ＦＩＴ
２１  ＦＩＴ識別番号
２２  属性情報（公開）
２３  属性情報（秘密）
３  無線通信端末
３１  無線通信部
３２  記憶装置
３３  削除部
【図１】
2019135397.tif 000003
【図２】
2019135397.tif 000004
【図３】
2019135397.tif 000005
【図４】
2019135397.tif 000006
【図５】
2019135397.tif 000007
【図６】
2019135397.tif 000008
【図７】
2019135397.tif 000009
【図８】
2019135397.tif 000010
【図９】
2019135397.tif 000011
【図１０】
2019135397.tif 000012
【図１１】
2019135397.tif 000013
【図１２】
2019135397.tif 000014
【図１３】
2019135397.tif 000015
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
場所と時間に紐付けられた情報である一時滞留情報を通信基地局に対して送信するとともに、通信基地局から当該通信基地局が記憶する前記一時滞留情報を受信する無線通信部と、
前記無線通信部が受信した前記一時滞留情報を格納する記憶装置と、
前記一時滞留情報の受信後、予め定められた所定時間経過した前記一時滞留情報を削除する削除部と、
を有する
無線通信端末。
【請求項２】
請求項１に記載の無線通信端末であって、
前記一時滞留情報は、当該一時滞留情報の発信者が提供する提供物に応じた属性を示す属性情報を含んでいる
無線通信端末。
【請求項３】
請求項１又は２に記載の無線通信端末であって、
前記一時滞留情報は、送信先の通信基地局からネットワークを介して外部へと送信されず、送信先の基地局において記憶された後、所定時間経過後に削除される情報である
無線通信端末。
【請求項４】
請求項１から請求項３までのいずれかに記載の無線通信端末であって、
前記一時滞留情報には、不特定多数の利用者間で共有する属性を示す公開属性情報と、特定の利用者間でのみ共有する属性を示す秘密属性情報と、のうちの少なくとも一方が含まれている
無線通信端末。
【請求項５】
請求項１から請求項４までのいずれかに記載の無線通信端末であって、
前記記憶装置に格納されている前記一時滞留情報の強さを判定する強さ判定手段と、
前記強さ判定手段による判定結果に基づいて、前記一時滞留情報を他の前記一時滞留情報に付与する滞留情報付与部と、
を有する
無線通信端末。
【請求項６】
請求項５に記載されている無線通信端末であって、
前記強さ判定手段は、同一の情報を有する前記一時滞留情報の数に基づいて、前記一時滞留情報の強さを判定する
無線通信端末。
【請求項７】
請求項６に記載の無線通信端末であって、
前記強さ判定手段は、前記一時滞留情報を識別するための情報が同一である前記一時滞留情報の数に基づいて、前記一時滞留情報の強さを判定する
無線通信端末。
【請求項８】
無線通信端末が、
場所と時間に紐付けられた情報である一時滞留情報を通信基地局に対して送信するとともに、通信基地局から当該通信基地局が記憶する前記一時滞留情報を受信し、
受信した前記一時滞留情報を格納し、
前記一時滞留情報の受信後、予め定められた所定時間経過した前記一時滞留情報を削除する
無線通信方法。
【請求項９】
場所と時間に紐付けられた情報である一時滞留情報を格納する記憶装置と、
前記一時滞留情報を無線通信端末から受信するとともに、前記記憶装置に格納された前記一時滞留情報を無線通信端末に対して送信する無線通信部と、
前記一時滞留情報の受信後、予め定められた所定時間経過した前記一時滞留情報を削除する削除部と、
を有する
通信基地局。
【請求項１０】
場所と時間に紐付けられた情報である一時滞留情報を格納する記憶装置を有する通信基地局が、
前記一時滞留情報を無線通信端末から受信するとともに、前記記憶装置に格納された前記一時滞留情報を無線通信端末に対して送信し、
前記一時滞留情報の受信後、予め定められた所定時間経過した前記一時滞留情報を削除する
基地局通信方法。
【国際調査報告】
2019135397.tif 000016
2019135397.tif 000017
2019135397.tif 000018